(57)【要約】【課題】不要な受信画像を判別することができるファクシミリシステムを提供する。【解決手段】ファクシミリシステム１００において、ファクシミリ装置１０は、通信部と表示部１３と入力部１４とを備える。表示部１３は、外部ファクシミリ装置Ｅから受信した第１受信画像を表示する。入力部１４には、第１受信画像に対する印刷拒否操作が入力される。通信部は、第１受信画像をサーバー装置２０に送信する。サーバー装置２０は、登録決定部２１Ａと拒否画像記憶部２３Ｂと画像判定部２１Ｂとを備える。登録決定部２１Ａは、印刷拒否操作が入力部１４に入力された場合に、通信部から送信された第１受信画像を、印刷を拒否する拒否画像として登録する。拒否画像記憶部２３Ｂは、拒否画像を記憶する。画像判定部２１Ｂは、通信部が外部ファクシミリ装置Ｅから第２受信画像を受信した場合に、拒否画像と第２受信画像との類否を判定する。【選択図】図１
2019024165.tif 000002
【特許請求の範囲】
【請求項１】
ファクシミリ装置と、前記ファクシミリ装置と通信可能なサーバー装置とを備えるファクシミリシステムであって、
前記ファクシミリ装置は、
外部ファクシミリ装置との間でファクシミリ通信を行う通信部と、
前記外部ファクシミリ装置から前記ファクシミリ通信によって受信した第１受信画像を表示する表示部と、
前記第１受信画像の印刷を拒否する印刷拒否操作が入力される入力部と
を備え、
前記通信部は、前記第１受信画像を前記サーバー装置に送信し、
前記サーバー装置は、
前記印刷拒否操作が前記入力部に入力された場合に、前記通信部から送信された前記第１受信画像を、前記印刷を拒否する拒否画像として登録する登録決定部と、
前記拒否画像を記憶する拒否画像記憶部と、
前記通信部が前記外部ファクシミリ装置から第２受信画像を受信した場合に、前記拒否画像と前記第２受信画像との類否を判定する画像判定部と
を備える、ファクシミリシステム。
【請求項２】
前記ファクシミリ装置は、シートに前記第２受信画像を印刷可能な印刷部を更に備え、
前記サーバー装置は、前記第２受信画像を記憶する受信画像記憶部を更に備え、
前記画像判定部によって前記拒否画像と前記第２受信画像とが類似すると判定された場合に、前記受信画像記憶部は、前記第２受信画像を消去し、
前記画像判定部によって前記拒否画像と前記第２受信画像とが類似しないと判定された場合に、前記印刷部は、前記シートに前記第２受信画像を印刷し、前記受信画像記憶部は、前記第２受信画像を消去する、請求項１に記載のファクシミリシステム。
【請求項３】
前記ファクシミリ装置は、シートに前記第２受信画像を印刷可能な印刷部を更に備え、
前記サーバー装置は、前記第２受信画像を記憶する受信画像記憶部を更に備え、
前記画像判定部によって前記拒否画像と前記第２受信画像とが類似すると判定された場合に、前記表示部は、前記第２受信画像を消去するか否かをユーザーに確認する旨のメッセージを表示し、前記受信画像記憶部は、前記ユーザーによる操作に基づいて前記第２受信画像を消去し、
前記画像判定部によって前記拒否画像と前記第２受信画像とが類似しないと判定された場合に、前記印刷部は、前記シートに前記第２受信画像を印刷し、前記受信画像記憶部は、前記第２受信画像を消去する、請求項１に記載のファクシミリシステム。
【請求項４】
前記画像判定部は、前記第２受信画像の全体領域に対する前記第２受信画像の類似領域の割合に基づいて、前記拒否画像と前記第２受信画像との類否を判定し、
前記類似領域は、前記拒否画像の全体領域と類似する前記第２受信画像の領域を示す、請求項１から請求項３のいずれか１項に記載のファクシミリシステム。
【請求項５】
前記画像判定部は、前記割合が所定の閾値以上である場合に、前記拒否画像と前記第２受信画像とが類似であると判定し、
前記表示部は、前記割合が所定の閾値より小さい場合に、前記第２受信画像と、前記第２受信画像を印刷するか否かをユーザーに確認する旨のメッセージとを表示する、請求項４に記載のファクシミリシステム。
【請求項６】
外部ファクシミリ装置との間でファクシミリ通信を行う通信部と、
前記外部ファクシミリ装置から前記ファクシミリ通信によって受信した第１受信画像を表示する表示部と、
前記第１受信画像の印刷を拒否する印刷拒否操作が入力される入力部と、
前記印刷拒否操作が前記入力部に入力された場合に、前記印刷を拒否する拒否画像として前記第１受信画像を登録する登録決定部と、
前記拒否画像を記憶する拒否画像記憶部と、
前記通信部が前記外部ファクシミリ装置から第２受信画像を受信した場合に、前記拒否画像と前記第２受信画像との類否を判定する画像判定部と
を備える、ファクシミリ装置。
【請求項７】
外部ファクシミリ装置との間でファクシミリ通信を行うファクシミリ通信工程と、
前記外部ファクシミリ装置から前記ファクシミリ通信によって受信した第１受信画像を表示する表示工程と、
前記第１受信画像の印刷を拒否する印刷拒否操作が入力される入力工程と、
前記印刷拒否操作が前記入力工程で入力された場合に、前記印刷を拒否する拒否画像として前記第１受信画像を登録する登録決定工程と、
前記拒否画像を記憶する拒否画像記憶工程と、
前記ファクシミリ通信工程で前記外部ファクシミリ装置から第２受信画像を受信した場合に、前記拒否画像と前記第２受信画像との類否を判定する画像判定工程と
を包含する、ファクシミリ制御方法。
【発明の詳細な説明】
【技術分野】
【０００１】
本発明は、ファクシミリシステム、ファクシミリ装置、及びファクシミリ制御方法に関する。
【背景技術】
【０００２】
ファクシミリ通信で受信した受信画像（ファクシミリ原稿）の出力を許可又は拒否するファクシミリ装置が知られている。このようなファクシミリ装置として、特許文献１に記載のファクシミリ装置は、ユーザーの目視による操作に従い、不要な受信画像の発信者番号及び送信元情報（以下、「発信者番号等」と記載する。）を受信拒否データとして予め登録する。特許文献１に記載のファクシミリ装置は、外部ファクシミリ装置からファクシミリ通信で画像データを受信した場合に、画像データの発信者番号等と受信拒否データとが一致していれば、受信画像を出力することなく画像データを破棄する。特許文献１に記載のファクシミリ装置によれば、例えば、同じ送信元から送信される不要なファクシミリ原稿を無駄に出力することを抑制できる。
【先行技術文献】
【特許文献】
【０００３】
【特許文献１】特開平１１−１２７３３４号公報
【発明の概要】
【発明が解決しようとする課題】
【０００４】
しかしながら、例えば、同内容の広告情報等について発信者番号等を意図的に変更して繰り返し送信するような、いわゆる「迷惑ファクシミリ」に悩まされることがある。特許文献１に記載のファクシミリ装置は、迷惑ファクシミリの発信者番号等と、受信拒否データとして登録されている発信者番号等とを比較するため、受信拒否データと異なる発信者番号等が用いられて画像データが送信された場合、ユーザーは、その都度ファクシミリ原稿を出力し目視によって不要な内容か否かを判断する必要がある。従って、特許文献１に記載のファクシミリ装置では、不要な受信画像を判別することが困難であった。
【０００５】
本発明は上記課題に鑑みてなされたものであり、不要な受信画像を判別することができるファクシミリシステム、ファクシミリ装置、及びファクシミリ制御方法を提供することを目的とする。
【課題を解決するための手段】
【０００６】
本発明に係るファクシミリシステムは、ファクシミリ装置とサーバー装置とを備える。前記サーバー装置は、前記ファクシミリ装置と通信可能である。前記ファクシミリ装置は、通信部と、表示部と、入力部とを備える。前記通信部は、外部ファクシミリ装置との間でファクシミリ通信を行う。前記表示部は、前記外部ファクシミリ装置から前記ファクシミリ通信によって受信した第１受信画像を表示する。前記入力部には、前記第１受信画像の印刷を拒否する印刷拒否操作が入力される。前記通信部は、前記第１受信画像を前記サーバー装置に送信する。前記サーバー装置は、登録決定部と、拒否画像記憶部と、画像判定部とを備える。前記登録決定部は、前記印刷拒否操作が前記入力部に入力された場合に、前記通信部から送信された前記第１受信画像を、前記印刷を拒否する拒否画像として登録する。前記拒否画像記憶部は、前記拒否画像を記憶する。前記画像判定部は、前記通信部が前記外部ファクシミリ装置から第２受信画像を受信した場合に、前記拒否画像と前記第２受信画像との類否を判定する。
【０００７】
本発明に係るファクシミリ装置は、通信部と、表示部と、入力部と、登録決定部と、拒否画像記憶部と、画像判定部とを備える。前記通信部は、外部ファクシミリ装置との間でファクシミリ通信を行う。前記表示部は、前記外部ファクシミリ装置から前記ファクシミリ通信によって受信した第１受信画像を表示する。前記入力部には、前記第１受信画像の印刷を拒否する印刷拒否操作が入力される。前記登録決定部は、前記印刷拒否操作が前記入力部に入力された場合に、前記印刷を拒否する拒否画像として前記第１受信画像を登録する。前記拒否画像記憶部は、前記拒否画像を記憶する。前記画像判定部は、前記通信部が前記外部ファクシミリ装置から第２受信画像を受信した場合に、前記拒否画像と前記第２受信画像との類否を判定する。
【０００８】
本発明に係るファクシミリ制御方法は、ファクシミリ通信工程と、表示工程と、入力工程と、登録決定工程と、拒否画像記憶工程と、画像判定工程とを包含する。前記ファクシミリ通信工程は、外部ファクシミリ装置との間でファクシミリ通信を行う。前記表示工程は、前記外部ファクシミリ装置から前記ファクシミリ通信によって受信した第１受信画像を表示する。前記入力工程では、前記第１受信画像の印刷を拒否する印刷拒否操作が入力される。前記登録決定工程は、前記印刷拒否操作が前記入力工程で入力された場合に、前記印刷を拒否する拒否画像として前記第１受信画像を登録する。前記拒否画像記憶工程は、前記拒否画像を記憶する。前記画像判定工程は、前記ファクシミリ通信工程で前記外部ファクシミリ装置から第２受信画像を受信した場合に、前記拒否画像と前記第２受信画像との類否を判定する。
【発明の効果】
【０００９】
本発明によれば、不要な受信画像を判別することができる。
【図面の簡単な説明】
【００１０】
【図１】本発明の実施形態に係るファクシミリシステムの構成図である。
【図２】本発明の実施形態に係るファクシミリシステムにおけるファクシミリ装置の操作パネルを示す図である。
【図３】本発明の実施形態に係るファクシミリシステムにおけるファクシミリ装置を示す図である。
【図４】本発明の実施形態に係るファクシミリシステムが実行する、拒否画像の登録処理を示すフローチャートである。
【図５】本発明の実施形態に係るファクシミリシステムが実行する、受信画像と拒否画像との類否判定処理を示すフローチャートである。
【図６】本発明の実施形態に係るファクシミリシステムが実行する、類否判定処理と拒否画像の登録処理とを示すフローチャートである。
【図７】本発明の実施形態に係るファクシミリシステムにおけるファクシミリ装置の操作パネルを示す図である。
【図８】（ａ）は、本発明の実施形態に係るファクシミリシステムにおける第２受信画像を示す平面図であり、（ｂ）は、本発明の実施形態に係るファクシミリシステムにおける拒否画像を示す平面図である。
【図９】本発明の実施形態の変形例に係るファクシミリ装置の構成図である。
【発明を実施するための形態】
【００１１】
以下、本発明の実施形態について、図面を参照しながら説明する。なお、図中、同一又は相当部分については同一の参照符号を付して説明を繰り返さない。
【００１２】
図１及び図２を参照して、本発明の実施形態に係るファクシミリシステム１００の構成を説明する。図１は、ファクシミリシステム１００の構成図である。図２は、ファクシミリシステム１００におけるファクシミリ装置１０の操作パネルを示す図である。
【００１３】
図１に示すように、ファクシミリシステム１００は、ファクシミリ装置１０と、ファクシミリ装置１０と通信可能なサーバー装置２０とを備える。ファクシミリ装置１０とサーバー装置２０とは、通信可能に接続されたネットワークを構築する。各装置は、例えば、ＬＡＮ（Ｌｏｃａｌ  Ａｒｅａ  Ｎｅｔｗｏｒｋ）を介して通信可能に接続される。
【００１４】
ファクシミリ装置１０は、例えば、ファクシミリ機能を有する複合機のような画像形成装置、及びファクシミリ機能を有する電話機である。以下の本発明の実施形態は、一例として、ファクシミリ装置１０が画像形成装置（デスク上に載置可能な小型の複合機）である場合について説明する。ファクシミリ装置１０は、公衆回線網Ｎを介して不特定の外部ファクシミリ装置Ｅとの間で互いに通信可能に接続されている。
【００１５】
ファクシミリ装置１０は、第１通信部１２、入力部１４、第１記憶部１５、第１制御部１１、表示部１３、読取部１６、画像形成ユニット１７Ａ、給送部１７Ｂ、搬送部１７Ｃ、及び排出部１７Ｄを備える。なお、表示部１３については、図２を参照して、読取部１６、画像形成ユニット１７Ａ、給送部１７Ｂ、搬送部１７Ｃ、及び排出部１７Ｄについては、図３を参照して、それぞれ後述する。
【００１６】
第１通信部１２は、「通信部」の一例に相当し、ＮＣＵ（Ｎｅｔｗｏｒｋ  Ｃｏｎｔｒｏｌ  Ｕｎｉｔ）１２Ａと、モデム１２Ｂと、符号化／復号化部１２Ｃとを含む。ＮＣＵ１２Ａは、外部ファクシミリ装置Ｅとの接続を制御する。ＮＣＵ１２Ａは、公衆回線網Ｎを介した外部ファクシミリ装置Ｅからの着呼を検出し、着呼を示す信号を第１制御部１１へ送信する。
【００１７】
モデム１２Ｂは、アナログ信号からデジタル信号への復調、及びデジタル信号からアナログ信号への変調を実行する。モデム１２Ｂは、外部ファクシミリ装置Ｅから受信したアナログ信号をデジタル信号に復調する。
【００１８】
符号化／復号化部１２Ｃは、デジタル信号の符号化、及びデジタル信号の復号化を実行する。符号化／復号化部１２Ｃは、モデム１２Ｂが復調したデジタル信号を復号化する。
【００１９】
第１通信部１２は、外部ファクシミリ装置Ｅとの間でファクシミリ通信を行い、外部ファクシミリ装置Ｅから画像を受信する。具体的には、第１通信部１２は、ファクシミリ通信によって外部ファクシミリ装置Ｅから画像を示す画像データを受信し、第１記憶部１５に記憶する。以下、「ファクシミリ通信によって外部ファクシミリ装置Ｅから受信した画像データ」を単に「受信画像データ」と記載し、「受信画像データによって示される画像」を単に「受信画像」と記載する。第１通信部１２は、例えば、第１受信画像を示す第１受信画像データと、第２受信画像を示す第２受信画像データとを外部ファクシミリ装置Ｅから受信する。第１受信画像及び第２受信画像は、いずれも受信画像の一例であり、発信する外部ファクシミリ装置Ｅの異同と、受信時期の異同と、画像の内容の異同とを問わない。第１通信部１２は、外部ファクシミリ装置Ｅから受信画像データを受信すると、サーバー装置２０の第２通信部２２に受信画像データを送信する。
【００２０】
また、第１通信部１２は、例えば手動印刷モード（非自動印刷モード）のファクシミリシステム１００において、ユーザーによって第１受信画像に対する印刷拒否操作が入力部１４に入力されると、印刷拒否操作を示す拒否操作情報を第２通信部２２に送信する。
【００２１】
手動印刷モードは、ユーザーによる操作を介して受信画像を印刷（出力）するように設定されたファクシミリシステム１００の状態を示す。自動印刷モードは、ユーザーによる操作を介することなく受信画像を印刷するように設定されたファクシミリシステム１００の状態を示す。ユーザーは、ファクシミリ装置１０の操作パネルを操作して設定を変更することによって、手動印刷モードと自動印刷モードとを切り替えることができる。例えば、ユーザーは、在室時には手動印刷モードに、不在時には自動印刷モードにファクシミリシステム１００を設定してもよいし、時間帯に応じて手動印刷モードと自動印刷モードとを切り替えるように設定してもよい。なお、入力部１４と印刷拒否操作との詳細については、図２を参照して、印刷の動作については、図３を参照してそれぞれ後述する。
【００２２】
第１記憶部１５は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。第１記憶部１５は、ＨＤＤに代えてＳＳＤ（Ｓｏｌｉｄ  Ｓｔａｔｅ  Ｄｒｉｖｅ）を含んでいてもよい。第１記憶部１５は、各種のデータ（例えば、受信画像データ）を記憶したり、ファクシミリ装置１０の各部の動作を制御するための制御プログラムを記憶する。制御プログラムは、第１制御部１１によって実行される。
【００２３】
第１制御部１１は、ＣＰＵ（Ｃｅｎｔｒａｌ  Ｐｒｏｃｅｓｓｉｎｇ  Ｕｎｉｔ）のようなプロセッサー、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。第１制御部１１は、各種機能部としての判定部１１Ａを含む。判定部１１Ａは、例えば、印刷拒否操作が入力部１４に入力されたか否かを判定する。第１制御部１１は、第１記憶部１５に記憶された制御プログラムをプロセッサーが読み出して実行することによって、各種機能部として機能したり、ファクシミリ装置１０の各部の動作を制御する。
【００２４】
サーバー装置２０は、第２通信部２２と、第２記憶部２３と、第２制御部２１とを備える。サーバー装置２０は、データ処理機能と大容量ストレージ機能とのようなサーバー機能を有するコンピューターである。第２通信部２２は、第１通信部１２との間で各種のデータを送受信可能である。第２通信部２２は、例えば、第１通信部１２から送信される第１受信画像データ、第２受信画像データ、及びユーザーによる操作等を示す各種情報（例えば、拒否操作情報）を受信し、第２記憶部２３に記憶する。
【００２５】
第２記憶部２３は、ＨＤＤ、ＲＡＭ、及びＲＯＭによって構成される。第２記憶部２３は、各種のデータを記憶したり、サーバー装置２０の各部の動作を制御するための制御プログラムを記憶する。制御プログラムは、第２制御部２１によって実行される。第２記憶部２３は、受信画像記憶部２３Ａと、拒否画像記憶部２３Ｂとを含む。受信画像記憶部２３Ａは、受信画像データを記憶する。拒否画像記憶部２３Ｂは、後述する拒否画像データを記憶する。
【００２６】
第２制御部２１は、ＣＰＵのようなプロセッサー等によって構成されるハードウェア回路である。第２制御部２１は、各種機能部としての登録決定部２１Ａと画像判定部２１Ｂとを含む。第２制御部２１は、第２記憶部２３に記憶された制御プログラムをプロセッサーが読み出して実行することによって、各種機能部として機能したり、サーバー装置２０の各部の動作を制御する。
【００２７】
登録決定部２１Ａは、印刷拒否操作が入力部１４に入力された場合に、第１通信部１２から送信された第１受信画像を拒否操作情報に従い拒否画像として登録する。拒否画像は、印刷を拒否する対象としての受信画像を示す。登録決定部２１Ａによって拒否画像として登録された第１受信画像は、拒否画像記憶部２３Ｂに記憶される。すなわち、第１受信画像データは、拒否画像データとして拒否画像記憶部２３Ｂに記憶される。例えば、第１受信画像データが受信画像記憶部２３Ａに記憶されている場合、登録決定部２１Ａは、受信画像記憶部２３Ａから拒否画像記憶部２３Ｂに第１受信画像データを移動する。
【００２８】
画像判定部２１Ｂは、第１通信部１２が外部ファクシミリ装置Ｅからファクシミリ通信によって第２受信画像を受信した場合に、拒否画像と第２受信画像との類否を判定する。すなわち、画像判定部２１Ｂは、例えば自動印刷モード（非手動印刷モード）のファクシミリシステム１００において、拒否画像データと第２受信画像データとに基づいて、拒否画像と第２受信画像との類似度を判定する。類似度を判定するためのアルゴリズムには、例えば、拒否画像と第２受信画像との各種マッチング（画像の特徴点に基づくマッチング、及び画像の領域に基づくマッチング等）が用いられる。ユーザーは、例えば、外出する際に手動印刷モードから自動印刷モードにファクシミリシステム１００の設定を切り替えておけばよい。画像判定部２１Ｂは、第２通信部２２を介して第１通信部１２に判定結果情報を送信する。判定結果情報は、画像判定部２１Ｂによる判定結果を示す情報である。なお、画像判定部２１Ｂによる類否判定処理については、図５を参照して後述する。
【００２９】
続いて、図２を参照して、入力部１４と表示部１３との詳細について説明する。図２は、ファクシミリ装置１０の操作パネルを示す図である。
【００３０】
入力部１４は、例えば、タッチパネル機能と種々のハードウェアボタンとを有する操作パネルである。入力部１４は、印刷ボタン１４Ａと印刷拒否ボタン１４Ｂとを含む。入力部１４には、印刷実行操作又は印刷拒否操作が入力される。印刷実行操作は、受信画像の印刷を実行するための操作であり、例えば、印刷ボタン１４Ａを用いて入力される。印刷拒否操作は、受信画像の印刷を拒否するための操作であり、例えば、印刷拒否ボタン１４Ｂを用いて入力される。具体的には、ユーザーは、例えば手動印刷モード（非自動印刷モード）のファクシミリ装置１０において、表示部１３に表示された第１受信画像Ｒ１を目視する。その後、ユーザーは、印刷ボタン１４Ａ又は印刷拒否ボタン１４Ｂを押下することによって印刷実行操作又は印刷拒否操作を行う。
【００３１】
表示部１３は、例えば、タッチパネル機能を有するディスプレーであり、操作パネルに配置される。このようなタッチパネル機能は、表示部１３と入力部１４とを兼ね得る。例えば、ディスプレーに配置されるソフトウェアボタンは、印刷ボタン１４Ａと印刷拒否ボタン１４Ｂとして機能する。なお、印刷ボタン１４Ａと印刷拒否ボタン１４Ｂとは、操作パネルに配置されるハードウェアボタン群１４Ｃであってもよい。
【００３２】
表示部１３は、第１受信画像Ｒ１を表示する。表示部１３は、例えば、プレビュー画面Ｐを有しており、第１受信画像Ｒ１をプレビュー画面Ｐに縮小して表示（プレビュー表示）する。表示部１３は、第１受信画像Ｒ１をプレビュー表示する際に、ユーザーの操作に応じて第１受信画像Ｒ１の全体又は一部を更に拡大又は縮小して表示したり、第１受信画像Ｒ１が複数のページで構成される場合には全ページ又は特定のページを表示することもできる。
【００３３】
以上、図１及び図２を参照して説明したように、本実施形態によれば、第１通信部１２がファクシミリ通信によって外部ファクシミリ装置Ｅから第１受信画像Ｒ１を受信した場合に、第２通信部２２に第１受信画像Ｒ１を送信する。表示部１３は、第１受信画像Ｒ１を表示する。ユーザーが第１受信画像Ｒ１の印刷を拒否することを所望する場合、入力部１４には、印刷拒否操作が入力される。第１通信部１２は、拒否操作情報を第２通信部２２に送信する。登録決定部２１Ａは、第１受信画像Ｒ１を拒否画像として登録する。第１受信画像Ｒ１は、拒否画像として拒否画像記憶部２３Ｂに記憶される。第１通信部１２は、ファクシミリ通信によって外部ファクシミリ装置Ｅから第２受信画像を受信した場合に、第２通信部２２に第２受信画像を送信する。画像判定部２１Ｂは、拒否画像と第２受信画像との類否を判定する。このように、画像判定部２１Ｂは、拒否画像データと受信画像データとに基づいて拒否画像と受信画像との類似度を判定する。従って、画像判定部２１Ｂによる判定は、外部ファクシミリ装置Ｅから迷惑ファクシミリが送信される場合に発信者番号及び送信元情報の異同に影響されない。その結果、不要な受信画像を判別することができる。
【００３４】
引き続き図１と図２とを参照しつつ、図３を併せて参照して、ファクシミリ装置１０の構成と印刷のための動作との詳細を説明する。図３は、ファクシミリ装置１０を示す図である。
【００３５】
読取部１６は、原稿Ｇに形成された画像（例えば、ファクシミリを送信する場合の送信対象としての画像）を読み取る。給送部１７Ｂは、複数のシートＳを収容し、搬送部１７ＣへシートＳを搬送する。シートＳは、例えば、紙製又は合成樹脂製のＡ４サイズのシートである。搬送部１７Ｃは、複数の搬送ローラー対を含み、画像形成ユニット１７ＡにシートＳを搬送する。画像形成ユニット１７Ａは、感光体ドラムと、帯電装置と、露光装置と、現像装置と、転写装置と、クリーニング装置と、除電装置と、定着装置とを含む。画像形成ユニット１７Ａは、電子写真方式により、シートＳに画像（例えば、受信画像）を形成し、画像を加熱及び加圧してシートＳに定着させる。搬送部１７Ｃは、画像の定着されたシートＳを排出部１７Ｄに搬送する。排出部１７Ｄはファクシミリ装置１０の外部にシートＳを排出する。
【００３６】
画像形成ユニット１７Ａと給送部１７Ｂと搬送部１７Ｃと排出部１７Ｄとは、「印刷部」の一例に相当する。印刷部は、シートＳに受信画像を印刷可能である。印刷部は、例えば、ユーザーによる印刷実行操作、又は以下に示すサーバー装置２０の画像判定部２１Ｂ（図１参照）による判定結果に従って、シートＳに受信画像を印刷する。
【００３７】
画像判定部２１Ｂは、拒否画像と第２受信画像とが類似しないと判定した場合に、第２通信部２２を介して第１通信部１２に判定結果情報を送信する。印刷部は、判定結果情報に従い、第２受信画像をシートＳに印刷する。さらに、第２受信画像データは、受信画像記憶部２３Ａから消去される。なお、ユーザーが第２受信画像の印刷後に第２受信画像データの消去を所望しない場合には、受信画像記憶部２３Ａは、ユーザーの操作に応じて第２受信画像データを消去せずに保持することもできる。
【００３８】
また、画像判定部２１Ｂは、拒否画像と第２受信画像とが類似すると判定した場合に、第２通信部２２を介して第１通信部１２に判定結果情報を送信する。判定結果情報に従い、第２受信画像データは、受信画像記憶部２３Ａ（図１参照）から消去される。このとき、印刷部は、第２受信画像をシートＳに印刷しない。
【００３９】
以上、図１〜図３を参照して説明したように、本実施形態によれば、画像判定部２１Ｂによって拒否画像と第２受信画像とが類似すると判定された場合に、受信画像記憶部２３Ａは、第２受信画像データを消去する。また、画像判定部２１Ｂによって拒否画像と第２受信画像とが類似しないと判定された場合に、印刷部による第２受信画像の印刷実行の後、受信画像記憶部２３Ａは、第２受信画像データを消去する。従って、受信画像を無駄に蓄積することなく、不要な受信画像を印刷することのみを抑制できる。その結果、不要な受信画像を破棄する（例えば、受信画像を印刷せずに受信画像データを消去する）ためのユーザーの負担を軽減できる。
【００４０】
続いて、図４を参照して、ファクシミリシステム１００が手動印刷モードにおいて実行する拒否画像の登録処理について説明する。図４は、拒否画像の登録処理を示すフローチャートである。ステップＳ１０１〜ステップＳ１１１が実行されることによって、ファクシミリシステム１００は、画像データを受信する処理と、受信画像を拒否画像として登録する処理とを実行する。具体的には、以下の通りである。
【００４１】
ステップＳ１０１において、ファクシミリシステム１００は、画像データを受信して記憶する。具体的には、第１通信部１２は、外部ファクシミリ装置Ｅから画像データ（第１受信画像データ）を受信し、第１記憶部１５に記憶する。第１通信部１２は、第２通信部２２に第１受信画像データを送信する。第２通信部２２は、第１受信画像データを受信し、受信画像記憶部２３Ａに記憶する。処理は、ステップＳ１０３に進む。
【００４２】
次に、ステップＳ１０３において、表示部１３は、第１受信画像Ｒ１をプレビュー画面Ｐに表示する。ユーザーは、表示された第１受信画像Ｒ１を目視することができる。処理は、ステップＳ１０５に進む。
【００４３】
次に、ステップＳ１０５において、判定部１１Ａは、印刷拒否操作が入力部１４に入力されたか否かを判定する。印刷拒否操作が入力部１４に入力された場合、すなわち、ユーザーによって印刷拒否ボタン１４Ｂが押下された場合（ステップＳ１０５でＹｅｓ）に、処理はステップＳ１０７に進む。一方、印刷拒否操作が入力部１４に入力されなかった場合、すなわち、ユーザーによって印刷ボタン１４Ａが押下された場合（ステップＳ１０５でＮｏ）に、処理はステップＳ１０９に進む。
【００４４】
ステップＳ１０５でＹｅｓの場合に、ステップＳ１０７において、ファクシミリシステム１００は、拒否画像を登録する。具体的には、第１通信部１２は、拒否操作情報を第２通信部２２に送信する。第１受信画像データは、第１記憶部１５から消去される。第２通信部２２は、拒否操作情報を受信する。登録決定部２１Ａは、拒否操作情報に従い、受信画像記憶部２３Ａから拒否画像記憶部２３Ｂに第１受信画像データを移動する。第１受信画像データは、拒否画像データとして拒否画像記憶部２３Ｂに記憶される。第１受信画像データは、受信画像記憶部２３Ａから消去される。そして、処理は終了する。
【００４５】
ステップＳ１０５でＮｏの場合に、ステップＳ１０９において、印刷部は、印刷ボタン１４Ａの押下による印刷実行操作に従い、第１受信画像Ｒ１をシートＳに印刷する。処理は、ステップＳ１１１に進む。
【００４６】
次に、ステップＳ１１１において、ファクシミリシステム１００は、第１受信画像データを消去する。具体的には、第１通信部１２は、印刷実行操作を示す実行操作情報を第２通信部２２に送信する。第１受信画像データは、第１記憶部１５から消去される。第２通信部２２は、実行操作情報を受信する。受信画像記憶部２３Ａは、第１受信画像データを消去する。そして、処理は終了する。
【００４７】
続いて、図５を参照して、ファクシミリシステム１００が自動印刷モードにおいて実行する受信画像と拒否画像との類否判定処理について説明する。図５は、受信画像と拒否画像との類否判定処理を示すフローチャートである。ステップＳ２０１〜ステップＳ２０９が実行されることによって、ファクシミリシステム１００は、画像データを受信する処理と、拒否画像と受信画像との類否を判定する処理とを実行する。具体的には、以下の通りである。
【００４８】
ステップＳ２０１において、ファクシミリシステム１００は、画像データを受信して記憶する。具体的には、第１通信部１２は、外部ファクシミリ装置Ｅから画像データ（第２受信画像データ）を受信する。第１記憶部１５は、第２受信画像データを記憶する。第１通信部１２は、第２通信部２２に第２受信画像データを送信する。第２通信部２２は、第２受信画像データを受信し、受信画像記憶部２３Ａに記憶する。処理は、ステップＳ２０３に進む。
【００４９】
次に、ステップＳ２０３において、画像判定部２１Ｂは、拒否画像と第２受信画像との類否を判定する。両者が類似する場合（ステップＳ２０３でＹｅｓ）に、処理はステップＳ２０５に進む。一方、両者が類似しない場合（ステップＳ２０３でＮｏ）に、処理はステップＳ２０７に進む。
【００５０】
ステップＳ２０３でＹｅｓの場合に、ステップＳ２０５において、ファクシミリシステム１００は、第２受信画像データを消去する。具体的には、第２通信部２２は、画像判定部２１Ｂの判定結果情報を第１通信部１２に送信する。第２受信画像データは、受信画像記憶部２３Ａから消去される。第１通信部１２は、判定結果情報を受信する。第１記憶部１５は、第２受信画像データを消去する。そして、処理は終了する。
【００５１】
ステップＳ２０３でＮｏの場合に、ステップＳ２０７において、ファクシミリシステム１００は、第２受信画像をシートＳに印刷する。具体的には、第２通信部２２は、画像判定部２１Ｂの判定結果情報を第１通信部１２に送信する。第１通信部１２は、判定結果情報を受信する。印刷部は、判定結果情報に従い、第２受信画像をシートＳに印刷する。処理は、ステップＳ２０９に進む。
【００５２】
次に、ステップＳ２０９において、ファクシミリシステム１００は、第２受信画像データを消去する。具体的には、第１通信部１２は、印刷部によって印刷が実行されたことを示す印刷実行情報を第２通信部２２に送信する。第１受信画像データは、第１記憶部１５から消去される。第２通信部２２は、印刷実行情報を受信する。受信画像記憶部２３Ａは、第２受信画像データを消去する。そして、処理は終了する。
【００５３】
なお、ファクシミリシステム１００は、図５に示すステップＳ２０３で拒否画像と第２受信画像とが類似しない場合（ステップＳ２０３でＮｏの場合）に、ステップＳ２０７とステップＳ２０９との処理に代えて、図４に示すステップＳ１０３〜ステップＳ１１１の処理を実行することもできる。このような処理として、以下に、図６を参照して、自動印刷モードにおける類否判定処理を実行しつつ、類否判定結果に応じて拒否画像の登録処理を実行するファクシミリシステム１００の処理を説明する。
【００５４】
図６は、類否判定処理と拒否画像の登録処理とを示すフローチャートである。なお、図６に示す処理において、拒否画像記憶部２３Ｂには、図４を参照して説明した拒否画像の登録処理によって、少なくとも１つの拒否画像が予め蓄積されている。ユーザーは、在室する時間帯にファクシミリシステム１００を自動印刷モードとして予め設定する。
【００５５】
図６に示すステップＳ３０１〜ステップＳ３０５の各々は、図５を参照して説明したステップＳ２０１〜ステップＳ２０５の各々に対応しており、同様の処理を実行する。ステップＳ３０５の後、処理は終了する。ステップＳ３０３で拒否画像と第２受信画像とが類似しない場合（ステップＳ３０３でＮｏ）に、処理はステップＳ４０３に進む。
【００５６】
次に、ステップＳ４０３〜ステップＳ４１１の各々は、図４を参照して説明したステップＳ１０３〜ステップＳ１１１の各々に対応しており、同様の処理を実行する。そして、処理は終了する。なお、ステップＳ１０３〜ステップＳ１１１で述べた「第１受信画像Ｒ１」と「第１受信画像データ」とは、ステップＳ４０３〜ステップＳ４１１において「第２受信画像」と「第２受信画像データ」とに読み替えるものとする。
【００５７】
なお、図７を参照して以下に説明するように、表示部１３は、画像判定部２１Ｂによって拒否画像と第２受信画像Ｒ２とが類似すると判定された場合に、第２受信画像Ｒ２を消去するか否かをユーザーに確認する旨のメッセージＭを表示することが好ましい。図７は、ファクシミリ装置１０の操作パネルを示す図である。
【００５８】
画像判定部２１Ｂは、拒否画像と第２受信画像Ｒ２とが類似すると判定した場合に、第２通信部２２を介して第１通信部１２に判定結果情報を送信する。表示部１３は、判定結果情報に従い、メッセージＭをプレビュー画面Ｐに表示する。メッセージＭは、例えば、「迷惑ファクシミリのおそれがあります。」のような通知文を示す。表示部１３は、メッセージＭを表示すると共に、第２受信画像Ｒ２をプレビュー表示することもできる。
【００５９】
受信画像記憶部２３Ａは、ユーザーによる操作に基づいて第２受信画像Ｒ２を消去する。詳細には、入力部１４は、データ消去ボタン１４Ｄとデータ非消去ボタン１４Ｅとを更に含む。入力部１４には、データ消去操作又はデータ非消去操作が入力される。データ消去操作は、第２受信画像データを消去するための操作であり、例えば、データ消去ボタン１４Ｄを用いて入力される。データ非消去操作は、第２受信画像データを消去せずに保持するための操作であり、例えば、データ非消去ボタン１４Ｅを用いて入力される。ユーザーは、表示部１３に表示されたメッセージＭを目視し、データ消去ボタン１４Ｄ又はデータ非消去ボタン１４Ｅを押下することによってデータ消去操作又はデータ非消去操作を行う。
【００６０】
入力部１４にデータ消去操作が入力された場合、第１通信部１２は、データ消去操作を示す消去操作情報を第２通信部２２に送信する。第２受信画像データは、第１記憶部１５から消去される。第２通信部２２は、消去操作情報を受信する。受信画像記憶部２３Ａは、第２受信画像データを消去する。
【００６１】
一方、入力部１４にデータ非消去操作が入力された場合、第１記憶部１５は、第２受信画像データを引き続き保持する。第１通信部１２は、データ非消去操作を示す非消去操作情報を第２通信部２２に送信する。第２通信部２２は、非消去操作情報を受信する。受信画像記憶部２３Ａは、第２受信画像データを引き続き保持する。その後、ユーザーによって印刷実行操作が入力部１４に入力された場合、図５を参照して説明したステップＳ２０７と同様に、印刷部は、第２受信画像Ｒ２をシートＳに印刷する。
【００６２】
以上、図７を参照して説明したように、本実施形態によれば、第２受信画像データを消去する前に、ユーザーは、表示部１３に表示されるメッセージＭを確認し、消去の可否を判断する。従って、受信画像を更に精査して消去できる。
【００６３】
また、図８を参照して以下に説明するように、画像判定部２１Ｂは、第２受信画像Ｒ２の全体領域Ｒ２１に対する第２受信画像Ｒ２の類似領域Ｒ２２の割合（以下、単に「類似割合」と記載する。）に基づいて、拒否画像Ｄと第２受信画像Ｒ２との類否を判定してもよい。図８（ａ）は、第２受信画像Ｒ２を示す平面図である。図８（ｂ）は、拒否画像Ｄを示す平面図である。
【００６４】
類似領域Ｒ２２は、拒否画像Ｄの全体領域Ｄ１と類似する第２受信画像Ｒ２の領域を示す。例えば、画像判定部２１Ｂは、第２受信画像Ｒ２の類似割合が所定の閾値（例えば、９０％）以上である場合に、拒否画像Ｄと第２受信画像Ｒ２とが類似であると判定する。一方、画像判定部２１Ｂは、第２受信画像Ｒ２の類似割合が所定の閾値（例えば、５０％）より小さい場合に、拒否画像Ｄと第２受信画像Ｒ２とが類似しないと判定する。従って、第２受信画像Ｒ２のうちヘッダー領域の記載（例えば、送信日時の記載）のみが拒否画像Ｄの記載と若干異なっていたり、ファクシミリ通信の乱れによって第２受信画像Ｒ２の一部が若干歪んでいたりするような場合においても、拒否画像Ｄと第２受信画像Ｒ２との類否を精度良く判定できる。
【００６５】
さらに、表示部１３は、第２受信画像Ｒ２の類似割合が所定の閾値（例えば、５０％）より小さい場合には、第２受信画像Ｒ２と、第２受信画像Ｒ２を印刷するか否かをユーザーに確認する旨のメッセージＭとを表示することが好ましい。ユーザーは、画像判定部２１Ｂによって拒否画像Ｄと第２受信画像Ｒ２とが類似しないと判定される前に、表示部１３に表示される第２受信画像Ｒ２とメッセージＭとを確認し、印刷の要否を判断する。従って、送信された第２受信画像データの解像度の違いによって第２受信画像Ｒ２の画質が拒否画像Ｄと若干異なるような場合においても、拒否画像Ｄと第２受信画像Ｒ２との類否を精査して判定できる。
【００６６】
［変形例］
続いて、図１〜図８を参照しつつ、図９を併せて参照して、本実施形態の変形例について説明する。図９は、変形例に係るファクシミリ装置１０の構成図である。図９に示す変形例において、ファクシミリ装置１０は、図１〜図８を参照して説明したサーバー装置２０に相当する構成（データ処理部）をファクシミリ装置１０の構成として備える。なお、図１〜図８を参照して説明した実施形態と同様の構成については、図の説明が冗長となることを避けるため、図の記載と説明とを省略する。
【００６７】
図９に示すファクシミリ装置１０は、図１〜図３を参照して説明したファクシミリ装置１０と同様に、第１通信部１２、入力部１４、第１記憶部１５、第１制御部１１、表示部１３、読取部１６、画像形成ユニット１７Ａ、給送部１７Ｂ、搬送部１７Ｃ、及び排出部１７Ｄを備える。
【００６８】
第１制御部１１は、図１を参照して説明したサーバー装置２０に相当するデータ処理部を更に備える。以下、図の理解が容易になるように、「サーバー装置２０に相当するデータ処理部」を便宜上「データ処理部２０Ａ」と記載する。データ処理部２０Ａは、図１を参照して説明したサーバー装置２０と同様に、登録決定部２１Ａと、画像判定部２１Ｂと、第２記憶部２３とを含む。
【００６９】
ファクシミリ装置１０は、ファクシミリシステム１００と同様に各種の処理を実行する。具体的には、ファクシミリ装置１０は、ステップＳ１０１〜ステップＳ１１１（図４参照）を実行することによって、画像データを受信する処理と、受信画像を拒否画像Ｄとして登録する処理とを実行する。また、ファクシミリ装置１０は、ステップＳ２０１〜ステップＳ２０９（図５参照）を実行することによって、画像データを受信する処理と、拒否画像Ｄと受信画像との類否を判定する処理とを実行する。また、ファクシミリ装置１０は、ステップＳ３０１〜ステップＳ３０５及びステップＳ４０３〜ステップＳ４１１（図６参照）を実行することによって、類否判定処理を実行しつつ類否判定結果に応じて拒否画像Ｄの登録処理を実行する。
【００７０】
なお、サーバー装置２０は、ネットワークを介してファクシミリ装置１０と通信していたため、第２通信部２２（図１参照）を備えていた。しかしながら、図９に示すデータ処理部２０Ａは、ファクシミリ装置１０の構成の一部であり、第２通信部２２を備えていない。すなわち、データ処理部２０Ａは、ファクシミリ装置１０の各部と直接的又は間接的に各種の情報を送受信することが可能である。従って、ファクシミリシステム１００の構成（図１〜図３、図７、及び図８参照）及び各種処理（図４〜図６参照）において、第２通信部２２と第１通信部１２との間で各種の情報を送受信する構成は、図９に示すデータ処理部２０Ａと各部との間で送受信する構成によって代替される。その結果、本変形例によれば、不要な受信画像を簡易な構成で判別することができる。
【００７１】
以上、図面（図１〜図９）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００７２】
（１）図４に示すステップＳ１０３の処理と、図６に示すステップＳ４０３の処理とにおいて、表示部１３は、受信画像を単にプレビュー表示していたが、本発明はこれに限られない。本発明は、表示部１３が受信画像をプレビュー表示する前に、又はプレビュー表示すると共に、印刷拒否操作又は印刷実行操作を要求する旨をユーザーに通知可能でありさえすればよい。例えば、表示部１３は、受信画像をプレビュー表示する前に、又はプレビュー表示すると共に、通知ランプを点灯したり、通知文を表示したり、通知音を発することができる。従って、印刷拒否操作又は印刷実行操作のためのユーザーの利便性を向上させることができる。
【００７３】
（２）図８を参照して説明した画像判定部２１Ｂは、第２受信画像Ｒ２の全体領域Ｒ２１に対する第２受信画像Ｒ２の類似領域Ｒ２２の割合に基づいて、拒否画像Ｄと第２受信画像Ｒ２との類否を判定していたが、本発明はこれに限られない。画像判定部２１Ｂは、拒否画像Ｄの特徴が顕著に表れ易い第２受信画像Ｒ２の領域と、拒否画像Ｄとの類否を判定しさえすればよい。例えば、複数の領域に分割された第２受信画像Ｒ２のうちの特定領域と、複数の領域に分割された拒否画像Ｄのうちの特定領域とのみの類否を判定してもよい。また、第２受信画像Ｒ２が連続した複数のページで構成される実施形態において、画像判定部２１Ｂは、拒否画像Ｄと、第２受信画像Ｒ２の第１ページ目に相当する領域とのみの類否を判定してもよい。また、拒否画像Ｄが連続した複数のページで構成される実施形態において、画像判定部２１Ｂは、拒否画像Ｄの第１ページ目に相当する領域と、第２受信画像Ｒ２の第１ページ目に相当する領域とのみの類否を判定してもよい。例えば、迷惑ファクシミリに使用される送付状には、常に同様の送付状が使用されたり、定型文が記載されることが多い。従って、拒否画像Ｄと第２受信画像Ｒ２との類否を効率的に判定できる。その結果、処理速度を向上させることができる。
【００７４】
また、画像判定部２１Ｂが拒否画像Ｄと第２受信画像Ｒ２との類否を判定する前に、ユーザーは、プレビュー表示された第２受信画像Ｒ２を目視し、領域指定のための操作を入力部１４に入力することによって第２受信画像Ｒ２の特定領域を指定してもよい。これにより、画像判定部２１Ｂは、拒否画像Ｄと、拒否画像Ｄの特徴が顕著に表れ易い第２受信画像Ｒ２の特定領域とのみの類否をユーザーの趣向に合わせて判定できる。従って、ユーザーの利便性が更に向上する。
【００７５】
（３）図１〜図８を参照して説明したファクシミリシステム１００は、拒否画像Ｄと第２受信画像Ｒ２との類否を判定することによって、第２受信画像Ｒ２の印刷の要否を決定していたが、本発明はこれに限られない。例えば、ファクシミリシステム１００は、拒否画像Ｄによる類否判定処理に先立って、外部ファクシミリ装置Ｅの発信者番号に基づく判定処理を実行してもよい。具体的には、ファクシミリシステム１００は、印刷を拒否する外部ファクシミリ装置Ｅの発信者番号（例えば、発信者番号リスト）を予め第１記憶部１５に記憶する。第１通信部１２が外部ファクシミリ装置Ｅからファクシミリ通信で画像データを受信する際に、判定部１１Ａは、発信者番号リストに含まれる発信者番号と、外部ファクシミリ装置Ｅから通知される発信者番号とが一致するか否かを判定する。判定部１１Ａによって両者が一致しないと判定された場合にのみ、画像判定部２１Ｂは、拒否画像Ｄと第２受信画像Ｒ２との類否を判定する。従って、メモリーの記憶領域の使用を抑えつつ、拒否画像Ｄと第２受信画像Ｒ２との類否を精度良く判定できる。
【産業上の利用可能性】
【００７６】
本発明は、ファクシミリシステム及びファクシミリ装置の分野に利用可能である。
【符号の説明】
【００７７】
１０    ファクシミリ装置
１００  ファクシミリシステム
１２    第１通信部（通信部）
１３    表示部
１４    入力部
２０    サーバー装置
２１Ａ  登録決定部
２１Ｂ  画像判定部
２３Ａ  受信画像記憶部
２３Ｂ  拒否画像記憶部
Ｄ      拒否画像
Ｄ１    全体領域
Ｅ      外部ファクシミリ装置
Ｍ      メッセージ
Ｒ１    第１受信画像
Ｒ２    第２受信画像
Ｒ２１  全体領域
Ｒ２２  類似領域
Ｓ      シート
【図１】
2019024165.tif 000003
【図２】
2019024165.tif 000004
【図３】
2019024165.tif 000005
【図４】
2019024165.tif 000006
【図５】
2019024165.tif 000007
【図６】
2019024165.tif 000008
【図７】
2019024165.tif 000009
【図８】
2019024165.tif 000010
【図９】
2019024165.tif 000011